(57)【特許請求の範囲】
【請求項１】
遊技盤(9) を後側から押さえて固定する裏機構板(36)に、ケース(47)に収納された制御基板(48)を装着し、制御基板(48)の外周側に対応してケース(47)に切り欠き部(111) を形成すると共に、この切り欠き部(111) 内で制御基板(48)に電源用のコネクタピン(114) を突設し、切り欠き部(111) を経てケース(47)の外側からコネクタピン(114) に電源コネクタ(118) を着脱自在に接続するようにした弾球遊技機において、電源コネクタ(118) は、コネクタ本体(119) と、このコネクタ本体(119) に一体に形成された係合爪(120) 及び操作部(121) とを備え、コネクタピン(114) に接続したときに係合爪(120) がコネクタピン(114) 側のコネクタ係止部(116) に係脱自在に係合し、操作部(121) をコネクタ本体(119) 側に操作することにより係合爪(120) がコネクタ係止部(116) から離脱するように構成されており、ケース(47)に、制御基板(48)に装着された回路部品を覆うカバー部(105) を基部側よりも高く構成し、このカバー部(105) に、電源コネクタ(118) を着脱自在に取り囲むようにコネクタ保護部(112) を一体に形成すると共に操作部(121) に対応して指挿入用の凹部(124) を形成し、コネクタピン(114) に対して指挿入用の凹部(124) と反対側でコネクタ保護部(112) の壁部(123) に指挿入用の切り欠き部(125) を形成したことを特徴とする弾球遊技機の電源コネクタ保護装置。
【請求項２】
切り欠き部(111) の中間にコネクタ保護部(112) を配置し、このコネクタ保護部(112) でケース(47)のカバー部(105) と基部側とを一体に連結したことを特徴とする請求項１に記載の弾球遊技機の電源コネクタ保護装置。
【発明の詳細な説明】
【０００１】
【産業上の利用分野】
本発明は、パチンコ機、アレンジボール機、雀球機等の弾球遊技機の電源コネクタ保護装置に関するものである。
【０００２】
【従来の技術】
パチンコ機等の弾球遊技機は、多数の表示灯、ソレノイド等を各種の遊技部品に組み込むと共に、発射モータ、払い出しモータ等を備え、遊技動作の制御から遊技球の払い出し動作の制御までの全てに電子制御方式を採用している。
【０００３】
そこで、従来の弾球遊技機では、前枠の後側下部に固定された電源トランスに電源コードを接続か、又は前枠に装着された遊技盤を押さえる裏機構板に、制御ケースに収納された制御基板を装着し、制御基板に電源用のコネクタピンを突設して、制御ケースの外側からコネクタピンに電源コネクタを着脱自在に接続する方法が採用されている。
【０００４】
【発明が解決しようとする課題】
従来の電源コードを電源トランスに接続する方法では、構造的に下端である反面、電源コードを容易に着脱し得ない欠点がある。
一方、基板にコネクタピンを設け、このコネクタピンに電源コネクタを接続する方法では、電源コードを簡単に着脱できるので、弾球遊技機を島側に取り付ける際の運搬、施工等が容易であると共に、修理、点検等の際にも便利である。
【０００５】
しかし、基板にコネクタピンを固定して置き、このコネクタピンに電源コネクタを着脱自在に接続する構造では、通常、２本のコネクタピンで接続状態の電源コネクタを支持するだけであるため、電源コネクタに接触するか又は電源コードを引っ張れば、コネクタピンが屈曲するか又は電源コネクタがコネクタピンから脱落する欠点がある。
【０００６】
本発明は、かかる従来の課題に鑑み、接続状態の電源コネクタを確実に保護でき、接触等によるコネクタピンの屈曲、電源コネクタの破損、脱落等を確実に防止できる弾球遊技機の電源コネクタ保護装置を提供することを目的とする。
【０００７】
【課題を解決するための手段】
請求項１に記載の本発明は、遊技盤9 を後側から押さえて固定する裏機構板36に、ケース47に収納された制御基板48を装着し、制御基板48の外周側に対応してケース47に切り欠き部111 を形成すると共に、この切り欠き部111 内で制御基板48に電源用のコネクタピン114 を突設し、切り欠き部111 を経てケース47の外側からコネクタピン114 に電源コネクタ118 を着脱自在に接続するようにした弾球遊技機において、電源コネクタ118 は、コネクタ本体119 と、このコネクタ本体119 に一体に形成された係合爪120 及び操作部121 とを備え、コネクタピン114 に接続したときに係合爪120 がコネクタピン114 側のコネクタ係止部116 に係脱自在に係合し、操作部121 をコネクタ本体119 側に操作することにより係合爪120 がコネクタ係止部116 から離脱するように構成されており、ケース47に、制御基板48に装着された回路部品を覆うカバー部105 を基部側よりも高く構成し、このカバー部105 に、電源コネクタ118 を着脱自在に取り囲むようにコネクタ保護部112 を一体に形成すると共に操作部121 に対応して指挿入用の凹部124 を形成し、コネクタピン114 に対して指挿入用の凹部124 と反対側でコネクタ保護部112 の壁部123 に指挿入用の切り欠き部125 を形成したものである。
【０００８】
請求項２に記載の本発明は、請求項１に記載の発明において、切り欠き部111 の中間にコネクタ保護部112 を配置し、このコネクタ保護部112 でケース47のカバー部105 と基部側とを一体に連結したものである。
【００１０】
【作用】
電源コネクタ118 を接続する場合には、ケース47の切り欠き部111 を経てケース47の外側から制御基板48のコネクタピン114 に電源コネクタ118 を接続する。この接続状態では、電源コネクタ118 をコネクタ保護部112 で取り囲んでいるので、電源コネクタ118 に誤って接触した場合等でも安全であり、コネクタピン114 の屈曲、電源コネクタ118 の脱落、破損等を防止できる。
【００１１】
コネクタ保護部112 は、回路部品を覆うケース47のカバー部105 を基部側よりも高く構成して、このカバー部105 に一体に形成しており、カバー部105 でコネクタ保護部112 を補強できる。しかも、切り欠き部111 の中間にコネクタ保護部112 があり、このコネクタ保護部112 でケース47のカバー部105 と基部側とを一体に連結するため、コネクタ保護部112 でケース47を補強でき、ケース47に切り欠き部111 があるにも拘わらず、その損傷を少なくできる。
【００１２】
コネクタ保護部112 に対応してカバー部105 に指挿入用の凹部124 を形成し、コネクタピン114 に対して指挿入用の凹部124 と反対側でコネクタ保護部112 の壁部123 に指挿入用の切り欠き部125 を形成すれば、電源コネクタ118 の着脱操作が容易である。このため、コネクタ保護部112 と電源コネクタ118 との隙間を少なくして、電源コネクタ118 のグラツキ等を確実に防止できる。
【００１３】
【実施例】
以下、本発明の実施例を図面に基づいて詳述する。
図１はカード式アレンジボール機の正面図であり、1 はアレンジボール機本体で、矩形枠状の外枠2 と、この外枠2 の前面に左右方向の一端側のヒンジ3 により縦軸廻りに開閉自在に枢着された前枠4 とによって構成されている。このアレンジボール機本体1 は、カード式自動球貸し機5 と共に左右に並べた状態で島構造体に装着されている。前枠4 には窓孔6 と、この窓孔6 に上下に配置され且つ開閉自在に枢支されたガラス扉7 及び前面板8 を備え、窓孔6 に対応して前枠4 の後側に遊技盤9 が着脱自在に装着されている。
【００１４】
なお、カード式自動球貸し機5 は、プリペイドカードを挿脱自在に挿入するカード挿入口10を備え、そのカード挿入口10にプリペイドカードを挿入した時にカード挿入表示灯11が点灯するようになっている。
遊技盤9 の前面には、発射された遊技球を案内するガイドレール12が設けられると共に、このガイドレール12によって取り囲まれた中央部に画像表示装置13、上入球口14、左入球口15、右入球口16、下部入球装置17及び下部カバー18が配置されている。
【００１５】
前面板8 には上皿19が設けられ、この上皿19の上縁部に球貸し操作部20が、前縁部に球抜きレバー21が夫々設けられている。前枠4 の下部には下皿22と発射装置23用の発射ハンドル24が夫々設けられている。
なお、前枠4 には大当たり表示灯25、遊技表示灯26等が設けられ、また遊技盤9 には表示灯27等が設けられている。
【００１６】
図２はアレンジボール機の背面図を示す。図２において、28は発射装置23の発射モーターで、図３及び図４に示すように、前枠4 の後側に固定され、その回転軸29に固定されたカム30等を介して打撃槌31を駆動するようになっている。打撃槌31は前枠4 に枢支され、発射ハンドル24を操作した時に、上皿19から発射レール32上に１個づつ供給される遊技球を打撃してガイドレール12へと発射するようになっている。発射モーター28はモーター取り付け台33を介して前枠4 に固定され、またモーター取り付け台33には発射モーター28を制御する発射制御基板34が取り付けられている。
【００１７】
35は裏カバーで、遊技盤9 の後側に突出する画像表示装置13、入球口14〜16等の各遊技部品と、その下側の下部入球装置17とを後側から覆うように、遊技盤9 の裏面側に装着されている。
【００１８】
36は裏機構板で、前枠4 側に装着された遊技盤9 を後側から押さえて固定するためのものであり、前枠4 の後側に左右方向の一端側のヒンジ37により縦軸廻りに開閉自在に枢支され、且つ遊技盤9 を押さえ付ける閉状態でロックレバー39により前枠4 側にロックするようになっている。裏機構板36には、遊技盤9 の裏カバー35に対応する位置に開口窓40が形成され、裏機構板36で遊技盤9 を固定した時に、この開口窓40から裏カバー35が後方に突出するようになっている。
【００１９】
41は賞球を貯留する賞球タンクで、裏カバー35の上側で裏機構板36の後側に装着されている。42は賞球払い出し装置で、払い出しモーター43を備えると共に、裏カバー35のヒンジ37側近傍で裏機構板36の裏面側の左右一側に縦長状に装着されており、賞球タンク41から供給される賞球を所要数づつ上皿19へと払い出すように構成されている。
【００２０】
44は通路ユニットで、下部入球装置17及び賞球払い出し装置42の下側で裏機構板36に装着されている。通路ユニット44には、賞球払い出し装置42から払い出された遊技球を上皿19に案内する球払い出し通路と、上皿19の満杯時に賞球払い出し装置42からの遊技球を下皿22に溢流させる溢流通路と、下部入球装置17からの遊技球を島側に回収する回収通路とを備えている。
【００２１】
45は裏カバー35の下部に装着された遊技制御ケースで、この遊技制御ケース45にはゲーム時に遊技盤9 側の遊技動作を制御するＩＣ素子等の回路部品を装着した遊技制御基板46が組み込まれている。47は払い出し制御ケースで、賞球払い出し装置42の払い出し動作の制御を司るＩＣ素子等の回路部品を装着した払い出し制御基板48が組み込まれている。
【００２２】
49は球貸し制御ケースで、この球貸し制御ケース49には自動球貸し機5 を使用する時に、球貸し操作部20からの指令に応じて賞球払い出し装置42を作動させて貸し球を上皿19に払い出させるための球貸し制御基板50が組み込まれている。払い出し制御ケース47及び球貸し制御ケース49は、下部入球装置17及び裏カバー35の下側近傍で裏機構板36の通路ユニット44の後側に装着されている。
【００２３】
遊技盤9 は、図３及び図６に示すように、下セット板52の上側で三方枠51に後側から着脱自在に嵌合され、且つ裏機構板36により後側から押さえて固定されている。三方枠51は、前枠4 に形成された窓孔6 を左右及び上側から取り囲むように門形状に構成され、前枠4 の裏面側に固定されている。そして、三方枠51の下部側に下セット板52が装着されている。
【００２４】
画像表示装置13は、図１、図５及び図６に示すように、遊技盤9 に前側から着脱自在に装着され且つ表示窓53を形成する窓枠54と、表示窓53の後部側に配置された液晶型の画像表示部55と、この画像表示部55を前側から覆い且つ画像表示部55の画像を透視可能な保護板56とを備えている。
【００２５】
窓枠54は矩形状であって、前端側の外周にフランジ状の取り付け部54a が一体に形成され、遊技盤9 の開口57に前側から嵌合された状態で、取り付け部54a が遊技盤9 の前面側にネジ等で着脱自在に固定されている。
【００２６】
窓枠54には、表示窓53の上側の取り付け部54a に廂部58がネジ等で固定されている。廂部58は左右両端部が窓枠54の左右各縁部の上端側にわたるように表示窓53の上縁部側に左右方向に配置されており、取り付け部54a から前方に突出すると共に、上方から落下する遊技球を左右両側に振り分けるように中央が高くなる円弧状に形成されている。
【００２７】
なお、窓枠54の下縁部は、表示窓53内に入った遊技球が下縁部から前側に出やすくなるように前下がり状に構成されている。窓枠54の左右縁部は、画像表示部55の視野を極力制限しないように、前側の間隔が大になる前広がり状になっている。
【００２８】
画像表示部55及び保護板56は、その上側が若干後側になるように後ろ傾斜状に配置されている。画像表示部55は偏平な矩形状であって、これを駆動するための駆動用回路部品を装着した駆動基板55a と共に表示部ケース59内に組み込まれている。駆動基板55a には、入球口14〜16に遊技球が入球した時に３桁の数字図柄を一定時間だけ変動表示する図柄表示機能と、その停止図柄が「７・７・７」等の当たり図柄の時に当たり表示する大当たり表示機能、入賞役の成立を表示する入賞役表示機能、入賞得点を表示する入賞得点表示機能、ゲーム回数を表示するゲーム回数表示機能、及びゲーム中にその他の所定の遊技情報を画像表示する遊技情報機能を有し、その各機能に基づいて画像表示部55に各画像を表示させるようになっている。
【００２９】
表示部ケース59は前ケース60と後ケース61とに二分割され、その前ケース60側が遊技盤9 の裏面側に固定された球集合板62に後側から着脱自在に装着されている。前ケース60には、その下端に一対の係合部63が、上端に一対の取り付け部64が夫々形成されている。後ケース61には４個の取り付け爪65を介して中継基板66が着脱自在に装着されている。
【００３０】
球集合板62は各入球口14〜16に入球した遊技球を下側に案内する案内通路67〜69を一体に備え、遊技盤9 の裏面側にネジ等で装着されている。球集合板62には、画像表示部55に対応する中央部に開口部70が形成され、この開口部70の下端側に左右一対の係合受け部71が、開口部70の上側の案内通路67の通路壁にネジ取り付け部72a が、更に開口部70の左上部にネジ取り付け部72b を有する取り付け台72が夫々一体に形成されている。そして、一対の係合受け部71に前ケース60の一対の係合部63が上側から係脱自在に係止され、また一対のネジ取り付け部72a,72b に前ケース60の取り付け部64がネジ73により着脱自在に固定されている。なお、前ケース60の各取り付け部64は、球集合板62の案内通路67及び取り付け台72に夫々後側から当接されている。
【００３１】
保護板56は透明な合成樹脂材料製であって、上下方向の中央部が前側に突出するように円弧状に湾曲させて構成されている。そして、この保護板56の周囲には、窓枠54の外周に後側から嵌合する嵌合縁74が一体に形成されており、その嵌合縁74を矩形状の窓枠54の後端部側に嵌合させた状態で、その上端側の左右一対の取り付け部75と、左右の両下端部の取り付け部76とが窓枠54の各ボス部にネジ77,78 等で着脱自在に固定されている。
【００３２】
各入球口14〜16は、入球した遊技球を遊技盤9 の裏側に通過させるようになっており、遊技盤9 の後側で球集合板62の各案内通路67〜69に連通されている。なお、案内通路67には、上入球口14に入球した遊技球を検出するように球検出スイッチ67a が設けられている。上入球口15,16 は球検出スイッチ付きである。
【００３３】
下部入球装置17は、図５乃至図７に示すように、１６個の入球口79を有する入球ケース80と、入球口79等に入球した遊技球を集球して通路ユニット44の回収通路側に案内する集球ケース81と、入球口79に入球した遊技球を検出する入球検出スイッチ82とを備え、遊技盤9 の開口部83に後側から嵌合させて、遊技盤9 の裏面側に着脱自在に固定されている。
【００３４】
入球ケース80には、横一列状に入球口79が形成され、この各入球口79は遊技盤9 の開口部83から前側に突出している。集球ケース81は遊技盤9 の裏面側に装着されており、この集球ケース81内には入球ケース80の左右両側に球通路84が形成されている。そして、この集球ケース81の左右の球通路84に対応するように、球集合板62に各案内通路67〜69が設けられており、各入球口14〜16に入球した遊技球を入球ケース80の左右両側の球通路84を経て集球ケース81内に案内するようになっている。各入球検出スイッチ82は各入球口79に対応してスイッチ基板85に装着され、またスイッチ基板85には遊技球の入球位置を表示する入球位置表示装置86が設けられている。
【００３５】
なお、中継基板66にはフラットケーブル87等を介してスイッチ基板85が接続されると共に、遊技盤9 側のその他の各電気部品がリード線等を介して接続されている。
裏カバー35は、図５及び図６に示すように、画像表示装置13、入球口14〜16等の各遊技部品、球集合板62、中継基板66等から下部入球装置17に跨がって、これら全体を後側から覆うように、遊技盤9 の裏面側に取り付けベース88を介して着脱自在に装着されている。
【００３６】
裏カバー35は遊技盤9 側が開放した箱状であって、この裏カバー35の上部側には後方に膨らむ膨らみ部89が設けられている。膨らみ部89側は、遊技盤9 の後側に大きく突出する遊技部品を装着した場合にも、その遊技部品が膨らみ部89内に十分収まり得るように後側に突出して形成されている。一方、裏カバー35の膨らみ部89の下側は、その内部に下部入球装置17が収まる程度であるため、膨らみ部89の上後壁部90よりも突出量が小さくなるように構成されており、その下後壁部91に遊技制御ケース45が着脱自在に装着されている。
【００３７】
裏カバー35の上後壁部90と下後壁部91は共に遊技盤9 と略平行になっており、その上後壁部90には点検窓92と、この点検窓92を開閉自在に塞ぐ窓蓋93とが設けられている。膨らみ部89の下側の中間底壁部94、即ち、裏カバー35の上後壁部90と下後壁部91との間の中間底壁部94には、中継基板66等からのフラットケーブル95を引き出す引き出し孔96が左右方向に形成されている。
【００３８】
裏カバー35は、裏機構板36の閉時には裏機構板36の開口窓40に嵌合している。裏機構板36には、裏カバー35の右側壁部に近接して賞球払い出し装置42が上下方向に装着され、この賞球払い出し装置42の払い出しモーター43が裏カバー35側に突出して設けられている。
【００３９】
遊技制御ケース45は、図２及び図６に示すように、左右方向に長い横長矩形状のケース本体98と、このケース本体98の開口側に着脱自在に装着された前蓋99とを備え、内部に遊技制御基板46が収納されている。遊技制御ケース45は裏カバー35の下後壁部に形成された４個の係合溝100 と、この各係合溝100 に対応して前蓋99側に形成された４個のＬ字状の係合片101 とにより裏カバー35に着脱自在に装着されている。ケース本体98には、上下両縁部に切り欠き部102,103 が形成され、この各切り欠き部102,103 を介してケース本体98内の遊技制御基板46にコネクタを介してケーブルを接続するようになっている。なお、前蓋99の外側にはシールド板が装着されている。
【００４０】
払い出し制御ケース47及び球貸し制御ケース49は、図７乃至図１０に示すように、取り付けベース104 を介して通路ユニット44の後側に装着されている。
払い出し制御ケース47は、図９乃至図１４に示すように、左右方向に長い矩形状であって、後側に盛り上がったカバー部105 と、このカバー部105 の周囲に一体に形成された段部106 と、この段部106 の周囲に一体に形成された基部側のスカート部107 とを備え、そのスカート部107 に嵌合し且つ段部106 に当接するように４個のネジ109 で払い出し制御基板48が着脱自在に固定されている。
【００４１】
スカート部107 にはその左右両端から上下に突出する突出部108 と、右端から側方に突出する上下一対の突出部110 とが夫々設けられている。段部106 にはカバー部105 の上下及び左右に切り欠き部111 が形成され、またカバー部105 の下側には切り欠き部111 の中間部分にコネクタ保護部112 が一体に形成されている。
【００４２】
払い出し制御基板48には、賞球払い出し装置42の払い出しモーター43等を制御するＩＣ素子等の回路部品が中央部にプリント配線され、その回路部品がカバー部105 により覆われて保護されている。払い出し制御基板48には、その周縁部に各切り欠き部111 に対応して基板接続コネクタ113 、電源用コネクタピン114 及びその他のコネクタ115 等が配置されている。
【００４３】
基板接続コネクタ113 は上下の突出部110 間において、払い出し制御基板48から球貸し制御ケース49側に突出部110 と同程度突出するように、払い出し制御基板48の球貸し制御ケース49側の端縁に固定されている。電源用コネクタピン114 は２本であり、その上側近傍のコネクタ係止部116 と組み合わせて払い出し制御基板48に固定されている。
【００４４】
電源用コネクタピン114 には、電源コード117 の一端の電源コネクタ118 が着脱自在に接続されている。電源コネクタ118 は、２個の雌型接触子を有するコネクタ本体119 と、このコネクタ本体119 に一体に形成された係合爪120 とを備え、電源用コネクタピン114 に接続した時に係合爪120 がコネクタ係止部116 に係脱自在に係合するようになっている。係合爪120 はその操作部121 をコネクタ本体119 と共に摘んで、操作部121 をコネクタ本体119 側に操作すれば、コネクタ係止部116 から離脱するようになっている。
【００４５】
コネクタ保護部112 は、払い出し制御ケース47の下縁側の長い切り欠き部111 の途中にあり、カバー部105 から下側に突出する左右一対の側壁122 と、この側壁122 の下端部間を左右に連結する下壁部123 とを一体に備えている。そして、下壁部123 はコネクタ保護部112 でカバー部105 とその基部側の段部106 とを一体に連結するように段部106 に接続されている。そして、コネクタ保護部112 に対応してカバー部105 に指挿入用の凹部124 が形成され、またコネクタピン114 に対して指挿入用の凹部124 と反対側の下壁部123 に指挿入用の切り欠き部125 が形成され、これらの凹部124 と切り欠き部125 とに指を挿入してコネクタ本体119 と操作部121 とを摘むようになっている。
【００４６】
払い出し制御ケース47の上縁部の切り欠き部111 側のコネクタ115 は、フラットケーブル165 を介して遊技制御ケース45の下縁部の切り欠き部103 側のコネクタ166 に接続されている。つまり、払い出し制御基板48と遊技制御基板46は、フラットケーブル165 を介して着脱自在に接続されている。
【００４７】
球貸し制御ケース49は、図１５乃至図１８に示すように、略正方形状であって、払い出し制御ケース47と同様に、後側に盛り上がったカバー部126 と、このカバー部126 の上下に一体に形成された段部127a,127b と、このカバー部126 の一部から各段部127a,127b に亘って一体に形成されたスカート部128 とを備え、そのスカート部128 に嵌合し且つ段部127bに当接するように４個のネジ50a で球貸し制御基板50が着脱自在に固定されている。スカート部128 にはその左右両端から上下に突出する左右一対の突出部128aが設けられている。カバー部126 及び段部127aには左右に切り欠き部129 が形成され、また左端側には払い出し制御ケース47の上下一対の突出部110 間に嵌合すように突出部130 が形成されている。
【００４８】
球貸し制御基板50には、カード式アレンジボール機の場合に、球貸し操作部20と自動球貸し機5 と払い出し制御基板48とを接続するインターフェース用の回路部品が中央部にプリント配線され、その回路部品がカバー部126 により覆われて保護されている。球貸し制御基板50には、その左右両側に各切り欠き部129 に対応して基板接続コネクタ131 、コネクタ132a,132b が配置されている。基板接続コネクタ131 は、払い出し制御ケース47の右側で取り付けベース104 に球貸し制御ケース49を装着した時に、払い出し制御ケース47の基板接続コネクタ113 に着脱自在に接続するようになっている。コネクタ132bはケーブルを介して自動球貸し機5 に接続されている。
【００４９】
なお、基板接続コネクタ113 は雄型構造、基板接続コネクタ131 は雌型構造となっている。
通路ユニット44は裏機構板36の下部で発射装置23と左右方向の反対側に偏位して配置されており、その後壁板44a にシールド板104aを介在した状態で取り付けベース104 がネジにより着脱自在に装着されている。
【００５０】
取り付けベース104 は左右方向に長い矩形状であって、左右方向の摺動レール133 が上下両端に、また上下の摺動レール133 間を一体に接続する上下方向のストッパー壁134,135 が左右両端に夫々一体に形成されている。摺動レール133 及び左端のストッパー壁134 は取り付けベース104 から後側に同一高さだけ突出し、右端のストッパー壁135 は摺動レール133 等の半分弱程度の高さとなっている。
【００５１】
各摺動レール133 は、払い出し制御ケース47及び球貸し制御ケース49を左右方向に摺動自在に案内し保持するためのもので、この各摺動レール133 には取り付けベース104 との間で各制御ケース47,49 の突出部108,128aを挟むように、左端側の１箇所と右側中間の２箇所との３箇所に相対向方向に突出する係合爪136 〜138 が形成されている。
【００５２】
各係合爪136 〜138 は、払い出し制御ケース47の左端がストッパー壁134 に当接し、且つこの払い出し制御ケース47の一対の突出部110 と球貸し制御ケース49の突出部130 とが嵌合するように、両制御ケース47,49 を取り付けベース104 に装着した時に、各制御ケース47,49 の各突出部108,128aが係合するようになっている。そして、係合爪138 とストッパー壁135 との間には、球貸し制御ケース49の突出部128aが後側から嵌脱できる程度の間隔が形成されている。
【００５３】
取り付けベース104 には、左端がストッパー壁134 に当接する位置で払い出し制御ケース47を係止するロック爪139 と、払い出し制御ケース47に当接する位置で球貸し制御ケース49を係止するロック爪140 とが設けられている。各ロック爪139,140 は取り付けベース104 に一体に形成され、後側から押圧した時に各制御ケース47,49 から離脱するように係脱操作可能に構成されている。
【００５４】
取り付けベース104 には、アレンジボール機本体1 の梱包時等に電源コード117 を折り曲げて格納するコード格納部142 が設けられている。
球貸し操作部20は、球貸しスイッチ143 、精算スイッチ144 及び金額表示部145 を備え、図８に示すように、リード線146 、コネクタ147 、リード線148 等を介して球貸し制御基板50のコネクタ132aに接続されている。
【００５５】
下セット板52は前面板8 の後側で前枠4 に固定されている。下セット板52には、図３及び図４に示すように、発射装置23の発射レール32、この発射レール32上の遊技球を検出する槌先検出スイッチ152 、擬音発生用のスピーカー153 及び前枠側基板154 等が装着されている。
【００５６】
前枠側基板154 は、発射装置23の上側近傍で且つこの発射装置23と払い出し制御ケース47との間に対応する位置に配置され、且つ下セット板52の後側の取り付けボス部155 にネジ156 等で着脱自在に装着されている。この前枠側基板154 には、発射装置23の発射モーター28を制御する回路部品の他、前枠4 側に装着される大当たり表示灯25、槌先検出スイッチ152 、スピーカー153 等の付属機器類に関連する回路部品が装着され、周縁部のコネクタ157 を介して大当たり表示灯25等が接続されている。
【００５７】
前枠側基板154 は、コネクタ158,159 、フラットケーブル160 を介して払い出し制御基板48に着脱自在に接続されている。コネクタ158 は前枠側基板154 の裏面側にあり、このコネクタ158 に対応して裏機構板36に開口部161 が形成されている。開口部161 は、裏機構板36の後側からフラットケーブル160 の一端のコネクタ159 を挿脱できるように上下方向に長く構成され、この開口部161 を経て前枠側基板154 のコネクタ158 にコネクタ159 を着脱自在に接続するようになっている。
【００５８】
前枠側基板154 は、コネクタ162 、ケーブル163 を介して発射装置23の発射制御基板34に着脱自在に接続されている。
なお、自動球貸し機5 、遊技制御基板46、払い出し制御基板48、球貸し制御基板50、前枠側基板154 、発射制御基板34、賞球払い出し装置42等は、図１９に示すように接続されている。167 は外部接続端子基板、168 は球切れスイッチ、169 は補給切れスイッチである。
【００５９】
上記構成において、ゲームに際しては、自動球貸し機5 のカード挿入口10にカードを挿入した後、球貸しスイッチ143 を操作すると、その操作回数に応じた払い出し指令が球貸し制御基板50を経て払い出し制御基板48側に送られるので、賞球払い出し装置42の払い出しモーター43が作動し、賞球タンク41からの遊技球を繰り出して払い出して行く。そして、この賞球払い出し装置42により払い出された遊技球は、通路ユニット44の払い出し通路を経て上皿19へと払い出されて行く。
【００６０】
なお、球貸しスイッチ143 を操作すると、その操作回数に応じてカードの残額が順次減額され、カードの金額が金額表示部145 に表示される。
ゲーム時には、上皿19に遊技球を入れた状態で発射装置23の発射ハンドル24を操作すると、発射モーター28が作動してカム体30により打撃槌31を駆動して、その打撃槌31によって発射レール32上の遊技球をガイドレール12に沿って遊技盤9 上に順次発射する。なお、１ゲームに付き、１６個の遊技球を発射する。
【００６１】
遊技盤9 に沿って落下する遊技球は、上入球口14等に入球するか、又は下部入球装置17の１６個の入球口79の何れかに入球する。上入球口14等に入球した遊技球は、遊技盤9 の裏側に通過して球集合板62の各案内通路67〜69を経て集球ケース81内に落下し、また下部入球装置17の入球口79に入球した遊技球は、遊技盤9 の裏側に通過して集球ケース81内に落下する。そして、集球ケース81内を経て通路ユニット44の回収通路を介して島側に回収されて行く。
【００６２】
下部入球装置17の入球口79に遊技球が入球すると、その入球位置を各入球検出スイッチ82が検出して、その検出信号を遊技制御基板46側で処理を行い、入賞役の成立か否かを判定し、入賞役が成立した時に、その難易度に応じた得点を計上する。この時にも画像表示部55に入賞役の成否、得点等を表示する。
【００６３】
また上入球口14に遊技球が入球すると、球集合板62の案内通路67を通る時に、球検出スイッチ67a が遊技球を検出して、画像表示装置13の画像表示部55に変動図柄が表示され、その各図柄が一定時間だけ変動する。そして、その停止図柄が「７・７・７」等の当たり図柄であれば、一定の条件下で入賞得点を増加させる等、遊技者に利益を還元する。
【００６４】
案内通路67から落下する遊技球は、入球ケース80と集球ケース81との間の球通路84を経て集球ケース81へと入る。
遊技盤9 の交換時には、遊技制御基板46に接続されたケーブル等を外した後、ロックレバー39を外して裏機構板36をヒンジ37廻りに開放し、前枠4 から遊技盤9 を取り外す。そして、別の遊技盤9 を三方枠51に嵌合させて前枠4 にセットし、ヒンジ37廻りに裏機構板36を回動させ、この裏機構板36により遊技盤9 を後側から押さえた後、ロックレバー39で裏機構板36を固定する。この時、遊技盤9 の裏カバー35は裏機構板36の開口窓40に嵌合して後側に突出する。
【００６５】
裏機構板36を固定した後、その開口部161 にコネクタ159 を挿入して、フラットケーブル160 を前枠側基板154 のコネクタ158 に接続する。また遊技制御基板46と払い出し制御基板48とをフラットケーブル165 等を介して接続する。
【００６６】
遊技盤9 にはその裏面側に画像表示装置13、中継基板66等を覆う裏カバー35を装着しているが、この裏カバー35には膨らみ部89を上部側に、その下側に、遊技制御基板46を入れた遊技制御ケース45を配置しているので、この膨らみ部89を含む裏カバー35内の容積を十分に確保できる。従って、裏カバー35の膨らみ部89内に、遊技盤9 からの突出量の大きい遊技部品でも十分に組み込むことが可能となり、遊技盤9 に装着する遊技部品を自由に選択できる。
【００６７】
裏カバー35は下部入球装置17までをも覆う大きさであり、下部入球装置17に対応する部分の後方への突出量を膨らみ部89に比べて小さくし、この部分の裏カバー35の後側に遊技制御ケース45を設けているので、膨らみ部89の後側に遊技制御ケース45を設ける場合に比較して、遊技制御ケース45が大きく後方に突出し過ぎることがなく、膨らみ部89の後方への突出量を十分に確保できる。また裏カバー35で下部入球装置17を覆っているため、下部入球装置17を裏カバー35で保護でき、下部入球装置17の損傷等を少なくできる。
【００６８】
しかも、膨らみ部89と遊技制御ケース45とを上下に近接させて配置し、遊技制御ケース45を左右方向に長い横長矩形状に構成しているので、遊技制御ケース45を裏カバー35の下部側に配置することによって、膨らみ部89の上下方向に大きさを十分に確保できる。
【００６９】
裏カバー35の膨らみ部89と遊技制御ケース45は、遊技盤9 から後方への突出量が略同じであり、膨らみ部89側の上後壁部90と遊技制御ケース45のケース本体98の後壁とを略面一状にしているので、膨らみ部89及び遊技制御ケース45が後方に大きく出すぎることがなく、アレンジボール機を小さく梱包でき、また島側への装着時に、他の物と干渉することがない。
【００７０】
制御系は、遊技盤9 側の遊技動作を制御するための回路部品を装着した遊技制御基板46と、賞球払い出し装置42の払い出し動作を制御するための回路部品を装着した払い出し制御基板48とを備え、遊技制御基板46を遊技制御ケース45内に収納して裏カバー35の後側下部に、払い出し制御基板48を払い出し制御ケース47内に収納して裏カバー35の下側で裏機構板36に夫々装着しているため、従来に比較して裏カバー35側に装着する遊技制御基板46を小さくすることができる。
【００７１】
しかも、遊技制御基板46の大きさが小さくなると共に、この遊技制御基板46を裏カバー35の後側下部に装着しているので、裏カバー35の容積、特に膨らみ部89の上下方向の寸法を大にして、裏カバー35内の容積を十分に確保することが可能である。
【００７２】
また、遊技制御基板46と払い出し制御基板48とを備えて、遊技制御基板46を収納する遊技制御ケース45を裏カバー35側に、払い出し制御基板48を収納する払い出し制御ケース47を裏機構板36に夫々設けているため、遊技盤9 を交換してゲーム内容を変更する場合には、遊技盤9 と不可分の関係にある遊技制御基板46側を廃棄すれば良く、部品等の無駄を極力少なくできる。
【００７３】
遊技制御ケース45を裏カバー35の後側下部に、払い出し制御ケース47を裏カバー35の下側で裏機構板36に夫々装着し、遊技制御基板46と払い出し制御基板48とを着脱自在なケーブル165 で接続しているので、両制御基板46,48 を分離しているにも拘わらず、両制御基板46,48 を上下に近接してコンパクトに配置することができる。この場合、遊技制御ケース45及び払い出し制御ケース47を横長状に構成し、この遊技制御ケース45と払い出し制御ケース47とを上下に近接させて配置することにより、裏カバー35側の膨らみ部89の大きさを大にできると共に、裏機構板36側の裏カバー35から下側の長さを短くできる。従って、裏カバー35内の容積を十分に確保しながらも、全体を小型化することが可能である。
【００７４】
また遊技制御ケース45の下縁部に切り欠き部103 を、払い出し制御ケース47の上縁部に切り欠き部111 を夫々形成し、この各切り欠き部103,111 に対応して各制御基板46,48 にコネクタ166,115 を設け、この各制御基板46,48 のコネクタ166,115 をケーブル165 を介して着脱自在に接続すれば、各制御基板46,48 をケーブル165 、コネクタで容易に接続でき、しかもケーブル165 の長さを極力短くできる利点がある。
【００７５】
遊技制御基板46とは別に払い出し制御基板48を設け、裏カバー35の下側で裏機構板36の後側に、払い出し制御基板48に球貸し制御基板50とを左右に近接させて配置し、且つ払い出し制御基板48と球貸し制御基板50とを基板接続コネクタ113,131 で着脱自在に接続しているため、カード式のアレンジボール機を製作する場合には、前枠4 側は球貸し操作部20付きのものを別に準備するが、通常機用の内部機構に球貸し制御基板50を追加する程度で容易にカード式用を製作でき、しかも両制御基板48,50 をコンパクトに設けることができる。
【００７６】
また、払い出し制御基板48を賞球払い出し装置42と同じ裏機構板36側に設けているので、払い出し制御基板48と賞球払い出し装置42とを接続するリード線を裏機構板42に沿って配線することができ、リード線の断線を少なくできる。一方、遊技制御基板46と払い出し制御基板48が裏カバー35と裏機構板36とに分かれるが、遊技制御基板46と払い出し制御基板48は多くの情報を伝達できるようにケーブルで接続すれば良く、リード線に比較して断線等は生じ難く、別段問題はない。
【００７７】
しかも、払い出し制御基板48と球貸し制御基板50を左右に近接させて配置しているので、両制御基板48,50 を上下に配置する場合に比較して、裏機構板36の裏カバー35から下側の長さを短くでき、裏機構板36の小型化を図ることが可能である。
【００７８】
払い出し制御基板48を収納する払い出し制御ケース47の一側方に、球貸し制御基板50を収納する球貸し制御ケース49を左右方向に摺動自在に設け、両基板接続コネクタ113,131 を球貸し制御ケース49の摺動方向に着脱自在にしているため、球貸し制御ケース49を裏機構板36に容易に装着でき、着脱も容易である。更に、球貸し制御ケース49の摺動方向と基板接続コネクタ113,131 の着脱方向が同じであり、球貸し制御ケース49の摺動により基板接続コネクタ113,131 を着脱できるため、基板接続コネクタ113,131 を容易に着脱できる。
【００７９】
遊技制御基板46を裏カバー35の後側下部に、払い出し制御基板48を裏カバー35よりも下側で裏機構板36の後側に設ける一方、前枠側基板154 を、遊技盤9 の下側の発射装置23と払い出し制御基板48との間で前枠4 の後側に設けているので、遊技制御基板46と払い出し制御基板48と前枠側基板154 との各基板46,48,154 を無理なく効率的に配置できる。
【００８０】
しかも、遊技制御基板46と払い出し制御基板48と前枠側基板154 との各基板46,48,154 を無理なく効率的に配置できる上に、遊技制御基板46と払い出し制御基板48、前枠側基板154 と発射装置23、及び前枠側基板154 と払い出し制御基板48を夫々ケーブルを介して着脱自在に接続しているので、各基板46,48,154 を短いケーブル、リード線等で容易に効率的に接続できる。
【００８１】
遊技盤9 を下側から受ける下セット板52に前枠側基板154 があるため、下セット板52を前枠側基板154 の取り付けに適した構造にでき、前枠側基板154 の取り付けが容易である。また前枠側基板154 のコネクタ158 に対応して裏機構板36に開口部161 を形成し、裏機構板36の後側から開口部161 を経てケーブル160 の一端のコネクタ159 を前記コネクタ158 に着脱自在に接続すれば、裏機構板36の前後両側に前枠側基板154 と払い出し制御基板48とがあるにも拘わらず、ケーブル160 を介して両者を容易に接続でき、裏機構板36を迂回させるようにケーブル160 を張る必要がない。
【００８２】
画像表示装置13には、その画像表示部55と保護板56とをその上側が後方になるように後ろ傾斜状に設けており、遊技者の目の位置よりも下側に設けて反射を少なくしても、保護板56を通して画像表示部55の画像を容易に見ることができ、画像を容易に確認できる。また保護板56を上下方向の中央部が前側に突出するように円弧状に湾曲させることにより、極く簡単な構造で容易に安価に製造できると共に、保護板56が平坦状の場合に比較して反射を少なくできる。
【００８３】
しかも、保護板56の周縁部に、窓枠54の後端部に外周から嵌合する嵌合縁74を形成し、保護板56を矩形状の窓枠54の後端部に設けているので、窓枠54の後端部に保護板56を容易に固定できる。また窓枠54と保護板56を別体にしているため、保護板56が湾曲状であるにも拘わらず、両者の成形が容易である。
【００８４】
画像表示部55を傾斜状に設ける一方、画像表示部55の上部側を、開口部70の上側で球集合板62から後方に突出する案内通路67〜69に対応させて装着しているので、入球口14〜16の位置、案内通路67〜69を開口部70の上側にも配置できる。
【００８５】
更に球集合板62に、開口部70の下側に係止部71を設け、画像表示部55を収容するケース59の下部を係止部71に着脱自在に係止し、このケース59の上部側を案内通路67〜69に当接させて球集合板62に着脱自在に固定すれば、球集合板62を画像表示部62の取り付け用に利用できると共に、画像表示部55を容易に着脱自在に装着できる。
【００８６】
電源コネクタ118 を払い出し制御基板48に接続する場合、コネクタピン114 に接続するが、電源コネクタ118 を取り囲むようにコネクタ保護部112 があるため、コネクタピン114 に電源コネクタ118 を接続した状態において、電源コネクタ118 に誤って接触した場合等でも、コネクタピン114 の屈曲、電源コネクタ118 の脱落、破損等を防止できる。
【００８７】
また払い出し制御ケース47には、払い出し制御基板48に装着された回路部品を覆うカバー部105 を基部側よりも高く構成しており、このカバー部105 にコネクタ保護部112 を一体に形成しているため、カバー部105 でコネクタ保護部112 を補強できる。しかも、切り欠き部111 の中間にコネクタ保護部112 があり、このコネクタ保護部112 で払い出し制御ケース47のカバー部105 と基部側とを一体に連結しているため、このコネクタ保護部112 で払い出し制御ケース47を補強でき、払い出し制御ケース47に切り欠き部111 があるにも拘わらず、その損傷を少なくできる。
【００８８】
なお、指挿入用の凹部124 及び切り欠き部125 は、払い出し制御ケース47の下部に設けられているが、払い出し制御ケース47の上部又は左右に設けてもよい。更に、左右の側壁122 に一対の切り欠き部125 を設けてもよい。
以上、本発明の実施例を詳述したが、本発明は実施例に限定されるものではない。例えば、実施例ではアレンジボール機を例示しているが、パチンコ機等の弾球遊技機においても同様に実施できる。
【００８９】
【発明の効果】
請求項１に記載の本発明によれば、遊技盤9 を後側から押さえて固定する裏機構板36に、ケース47に収納された制御基板48を装着し、制御基板48の外周側に対応してケース47に切り欠き部111 を形成すると共に、この切り欠き部111 内で制御基板48に電源用のコネクタピン114 を突設し、切り欠き部111 を経てケース47の外側からコネクタピン114 に電源コネクタ118 を着脱自在に接続するようにした弾球遊技機において、電源コネクタ118 は、コネクタ本体119 と、このコネクタ本体119 に一体に形成された係合爪120 及び操作部121 とを備え、コネクタピン114 に接続したときに係合爪120 がコネクタピン114 側のコネクタ係止部116 に係脱自在に係合し、操作部121 をコネクタ本体119 側に操作することにより係合爪120 がコネクタ係止部116 から離脱するように構成されており、ケース47に、制御基板48に装着された回路部品を覆うカバー部105 を基部側よりも高く構成し、このカバー部105 に、電源コネクタ118 を着脱自在に取り囲むようにコネクタ保護部112 を一体に形成すると共に操作部121 に対応して指挿入用の凹部124 を形成し、コネクタピン114 に対して指挿入用の凹部124 と反対側でコネクタ保護部112 の壁部123 に指挿入用の切り欠き部125 を形成しているので、次のような顕著な効果を奏する。
【００９０】
▲１▼  電源コネクタ118 を着脱自在に取り囲むようにコネクタ保護部112 を設けているので、コネクタピン114 に電源コネクタ118 を接続した状態において、電源コネクタ118 に誤って接触した場合等でも、コネクタピン114 の屈曲、電源コネクタ118 の脱落、破損等を防止できる。
【００９１】
▲２▼  ケース47に、制御基板48に装着された回路部品を覆うカバー部105 を基部側よりも高く構成し、このカバー部105 にコネクタ保護部112 を一体に形成しているので、カバー部105 でコネクタ保護部112 を補強できる。
【００９２】
請求項２に記載の本発明によれば、請求項１に記載の発明において、切り欠き部111 の中間にコネクタ保護部112 を配置し、このコネクタ保護部112 でケース47のカバー部105 と基部側とを一体に連結しているので、次のような顕著な効果を奏する。
【００９３】
▲１▼  コネクタ保護部112 でカバー部105 と基部側とを一体に連結しているので、このコネクタ保護部112 でケース47を補強でき、ケース47に切り欠き部11    1 があるにも拘わらず、その損傷を少なくできる。
【００９４】
また、コネクタ保護部112 に対応してカバー部105 に指挿入用の凹部124 を形成し、コネクタピン114 に対して指挿入用の凹部124 と反対側でコネクタ保護部112 の壁部123 に指挿入用の切り欠き部125 を形成しているので、次のような顕著な効果を奏する。
【００９５】
▲１▼  コネクタ保護部112 と電源コネクタ118 との隙間を少なくできるので、電源コネクタ118 のグラツキ等を確実に防止できる。
▲２▼  コネクタ保護部112 と電源コネクタ118 との隙間を少なくしても、電源コネクタ118 を容易に着脱できる。
【図面の簡単な説明】
【図１】本発明の一実施例を示すアレンジボール機の正面図である。
【図２】本発明の一実施例を示すアレンジボール機の背面図である。
【図３】本発明の一実施例を示す前枠下部の背面図である。
【図４】図３のＡ−Ａ矢視拡大断面図である。
【図５】本発明の一実施例を示す遊技盤の一部断面背面図である。
【図６】図５のＢ−Ｂ矢視拡大断面図である。
【図７】図２のＣ−Ｃ矢視拡大断面図である。
【図８】図２のＤ−Ｄ矢視拡大断面図である。
【図９】本発明の一実施例を示す払い出し制御ケース及び球貸し制御ケースの正面図である。
【図１０】図９のＥ−Ｅ矢視拡大断面図である。
【図１１】本発明の一実施例を示す取り付けベースの背面図である。
【図１２】図９のＦ−Ｆ矢視拡大断面図である。
【図１３】本発明の一実施例を示す払い出し制御ケースの右側面図である。
【図１４】本発明の一実施例を示す払い出し制御ケースの装着状態の正面断面図である。
【図１５】本発明の一実施例を示す球貸し制御ケースの装着状態の正面断面図である。
【図１６】図１５のＧ−Ｇ矢視拡大断面図である。
【図１７】図１５のＨ−Ｈ矢視拡大断面図である。
【図１８】本発明の一実施例を示す球貸し制御ケースの左側面図である。
【図１９】本発明の一実施例を示すブロック線図である。
【符号の説明】
9  遊技盤
36  裏機構板
47  払い出し制御ケース
48  払い出し制御基板
105   カバー部
111   切り欠き部
112   コネクタ保護部
114   コネクタピン
118   電源コネクタ
123   壁部
124   凹部
125   切り欠き部
【図１】
0003912807.tif 000002
【図２】
0003912807.tif 000003
【図３】
0003912807.tif 000004
【図４】
0003912807.tif 000005
【図５】
0003912807.tif 000006
【図６】
0003912807.tif 000007
【図７】
0003912807.tif 000008
【図８】
0003912807.tif 000009
【図９】
0003912807.tif 000010
【図１０】
0003912807.tif 000011
【図１１】
0003912807.tif 000012
【図１２】
0003912807.tif 000013
【図１３】
0003912807.tif 000014
【図１４】
0003912807.tif 000015
【図１５】
0003912807.tif 000016
【図１６】
0003912807.tif 000017
【図１７】
0003912807.tif 000018
【図１８】
0003912807.tif 000019
【図１９】
0003912807.tif 000020